(57)【要約】【課題】電源端子である栓刃を挿入するための挿通孔を有する電気機器において、挿通孔を自動で開閉するシャッター構造を、少ない部品点数にて実現する。【解決手段】機器のケース２２に形成された挿通孔２４、２５を開閉するシャッター本体４０は、第１スライド位置（ａ）で挿通孔２４、２５を閉塞し、第２スライド位置（ｂ）で開口部４４、４２を介して挿通孔２４、２５を開放するよう、ケース２２に一体形成された支持部５２〜５３を介して、ケース２２の角部に沿ってスライド可能に設けられている。そして、ケース２２には、シャッター本体４０を第１スライド位置方向に付勢する棒状突起６０が設けられ、第１スライド位置にあるときに挿通孔２４、２５を閉塞するシャッター本体４０の板面部分は、開口部４２、４４側がケース２２内部に入り込んだ傾斜面となっている。【選択図】図８
2016071942.tif 000002
【特許請求の範囲】
【請求項１】
外部端子である一対の栓刃を筐体内部の刃受け部に接続できるよう、筐体壁面に前記栓刃を挿入するための一対の挿通孔が形成された電気機器において、前記一対の挿通孔を開閉するシャッター構造であって、
前記筐体の内壁面に、前記一対の挿通孔の配列方向にスライド可能に設けられ、第１スライド位置では板面にて前記各挿通孔を閉塞し、第２スライド位置では前記板面に形成された開口部にて前記各挿通孔を開放する、板状のシャッター本体と、
前記筐体に一体形成され、前記シャッター本体を前記第１スライド位置と前記第２スライド位置との間でスライド可能に支持する支持部と、
前記支持部に支持された前記シャッター本体の板面外周で前記第２スライド位置側の端縁部分に当接するよう、前記筐体の内壁面から突出され、前記シャッター本体の前記第１スライド位置から前記第２スライド位置への移動に伴い湾曲して、前記シャッター本体を前記第１スライド位置に向けて付勢する棒状突起と、
を備え、前記第１スライド位置にあるときに前記各挿通孔を閉塞する前記シャッター本体の板面部分は、それぞれ、前記開口部側が前記筐体内部に入り込む傾斜面となっていることを特徴とするシャッター構造。
【請求項２】
前記筐体は、直交する壁面にて構成される角部を有し、
前記一対の挿通孔は、該角部において互いに直交する両壁面に渡って形成されており、
前記シャッター本体は、前記角部の前記両壁面に対応して板面がＬ字状に屈曲した板状部材にて構成され、
前記シャッター本体の前記開口部は、前記筐体の前記角部の両壁面に渉って形成された各挿通孔を閉塞・開放できるように、前記シャッター本体を構成する前記板状部材の両板面に渡って形成され、
前記傾斜面は、前記シャッター本体を構成する前記板状部材の一方の板面に形成され、
前記棒状突起は、前記シャッター本体において前記傾斜面が形成された板面の端縁部分に当接するよう、前記筐体において当該板面と直交する壁面に突設されていることを特徴とする請求項１に記載のシャッター構造。
【請求項３】
外部電源から電力供給を受けて、テレビ放送信号を伝送する伝送機器駆動用の電源電圧を生成し、該電源電圧を前記伝送機器に供給する電源装置であって、
当該電源装置は、前記伝送機器と分離及び一体化が可能で、
前記伝送機器と分離したときには、ケーブルを介して前記伝送機器に電源電圧を供給し、
前記伝送機器と一体化したときには、外部端子である電源供給用の一対の栓刃を、当該電源装置の筐体壁面に形成された一対の挿通孔に通して、筐体内部の刃受け部に接続することで、前記伝送機器に電源電圧を供給するよう構成され、
しかも、前記伝送機器と分離しているときには前記一対の挿通孔を閉塞し、前記伝送機器と一体化しているときには前記一対の挿通孔を開放するシャッター構造として、請求項１又は請求項２に記載のシャッター構造を有することを特徴とする電源装置。
【発明の詳細な説明】
【技術分野】
【０００１】
本発明は、外部端子である一対の栓刃を挿入するための一対の挿通孔が筐体壁面に形成された電気機器において、一対の挿通孔を開閉するのに好適なシャッター構造、及び、そのシャッター構造を有する電源装置に関する。
【背景技術】
【０００２】
従来、タップ又はコンセントにおいては、プラグ栓刃が挿入されていないときに、栓刃挿通孔を閉塞して、内部にゴミが入るのを防止することが考えられている。
そして、このために、刃受カバーの栓刃挿通孔にプラグ栓刃が挿入されない通常時には、栓刃挿通孔をシャッターにて閉塞し、栓刃挿通孔にプラグ栓刃が挿入されてシャッターが刃受カバー内に押下されると、シャッターが栓刃挿通孔の配列方向に変位して、栓刃挿通孔を開放させるよう構成されたシャッター構造が提案されている（例えば、特許文献１参照）。
【先行技術文献】
【特許文献】
【０００３】
【特許文献１】特開２０１１−６０５３３号公報
【発明の概要】
【発明が解決しようとする課題】
【０００４】
上記提案のシャッター構造は、刃受カバーを、下方を開放させた函形状にして、栓刃挿通孔の配列方向に平行な側壁を有するシャッターを刃受カバー内に収納し、シャッターの側壁に形成した摺動溝と、刃受カバーの内壁面に突設された摺動用突起とを係合させることで、栓刃挿通孔へのプラグ栓刃の挿入によってシャッターが変位するようにされている。
【０００５】
また、プラグ栓刃が栓刃挿通孔から引き出された際には、シャッターを栓刃挿通孔の閉塞位置に戻す必要があるため、上記提案のシャッター構造では、シャッターを摺動溝に沿って栓刃挿通孔側へ変位させる付勢力を発生する板ばねを設けている。
【０００６】
このため、上記提案のシャッター機構では、板ばねの分、部品点数が多くなり、製造時の作業性が低下するという問題があった。
また、上記提案のシャッター構造では、プラグ栓刃が栓刃挿入孔へ挿入されるとシャッターを一旦挿入方向へ移動させ、その後、その挿入量が増加するに従い、摺動用突起が摺動溝内を摺動することで、シャッターが栓刃挿入孔の配列方向に移動させる。
【０００７】
このため、シャッターは２軸方向に変位することになり、その変位のための移動空間を確保する必要がある。
従って、上記提案のシャッター構造は、各種電子部品が組み込まれる電気機器に適用すると電気機器の大型化を招き、特に、小型化が要求される電気機器では、シャッターの移動空間を確保できず、採用することができない、という問題もある。
【０００８】
本発明は、こうした問題に鑑みなされたものであり、外部端子である一対の栓刃を挿入するための一対の挿通孔が筐体壁面に形成された電気機器において、部品点数が少なく、機器の大型化を招くことなく実現し得るシャッター構造を提供することを目的とする。
【課題を解決するための手段】
【０００９】
かかる目的を達成するためになされた請求項１に記載の発明は、外部端子である一対の栓刃を筐体内部の刃受け部に接続できるよう、筐体壁面に前記栓刃を挿入するための一対の挿通孔が形成された電気機器において、前記一対の挿通孔を開閉するシャッター構造であって、
前記筐体の内壁面に、前記一対の挿通孔の配列方向にスライド可能に設けられ、第１スライド位置では板面にて前記各挿通孔を閉塞し、第２スライド位置では前記板面に形成された開口部にて前記各挿通孔を開放する、板状のシャッター本体と、
前記筐体に一体形成され、前記シャッター本体を前記第１スライド位置と前記第２スライド位置との間でスライド可能に支持する支持部と、
前記支持部に支持された前記シャッター本体の板面外周で前記第２スライド位置側の端縁部分に当接するよう、前記筐体の内壁面から突出され、前記シャッター本体の前記第１スライド位置から前記第２スライド位置への移動に伴い湾曲して、前記シャッター本体を前記第１スライド位置に向けて付勢する棒状突起と、
を備え、前記第１スライド位置にあるときに前記各挿通孔を閉塞する前記シャッター本体の板面部分は、それぞれ、前記開口部側が前記筐体内部に入り込む傾斜面となっていることを特徴とする。
【００１０】
また、請求項２に記載の発明は、請求項１に記載のシャッター構造において、
前記筐体は、直交する壁面にて構成される角部を有し、
前記一対の挿通孔は、該角部において互いに直交する両壁面に渡って形成されており、
前記シャッター本体は、前記角部の前記両壁面に対応して板面がＬ字状に屈曲した板状部材にて構成され、
前記シャッター本体の前記開口部は、前記筐体の前記角部の両壁面に渉って形成された各挿通孔を閉塞・開放できるように、前記シャッター本体を構成する前記板状部材の両板面に渡って形成され、
前記傾斜面は、前記シャッター本体を構成する前記板状部材の一方の板面に形成され、
前記棒状突起は、前記シャッター本体において前記傾斜面が形成された板面の端縁部分に当接するよう、前記筐体において当該板面と直交する壁面に突設されていることを特徴とする。
【００１１】
また、請求項３に記載の発明は、外部電源から電力供給を受けて、テレビ放送信号を伝送する伝送機器駆動用の電源電圧を生成し、該電源電圧を前記伝送機器に供給する電源装置であって、
当該電源装置は、前記伝送機器と分離及び一体化が可能で、
前記伝送機器と分離したときには、ケーブルを介して前記伝送機器に電源電圧を供給し、
前記伝送機器と一体化したときには、外部端子である電源供給用の一対の栓刃を、当該電源装置の筐体壁面に形成された一対の挿通孔に通して、筐体内部の刃受け部に接続することで、前記伝送機器に電源電圧を供給するよう構成され、
しかも、前記伝送機器と分離しているときには前記一対の挿通孔を閉塞し、前記伝送機器と一体化しているときには前記一対の挿通孔を開放するシャッター構造として、請求項１又は請求項２に記載のシャッター構造を有することを特徴とする。
【発明の効果】
【００１２】
本発明のシャッター構造は、電気機器の筐体の内壁面に形成された栓刃挿入用の一対の挿通孔を開閉するためのものであり、筐体の内壁面に、一対の挿通孔の配列方向にスライド可能に設けられた板状のシャッター本体を備える。
【００１３】
シャッター本体は、支持部によって、板面にて各挿通孔を閉塞する第１スライド位置と、板面に形成された開口部にて各挿通孔を開放する第２スライド位置との間でスライド可
能に支持され、しかも、電気機器の筐体の内壁面から突出された棒状突起によって、第１スライド位置に向けて付勢されている。
【００１４】
なお、棒状突起は、シャッター本体の板面外周で第２スライド位置側の端縁部分に当接されており、シャッター本体が第１スライド位置から第２スライド位置へ移動することにより、湾曲して、シャッター本体を第１スライド位置に向けて付勢する。
【００１５】
そして、シャッター本体において、第１スライド位置にあるときに各挿通孔を閉塞する板面部分は、それぞれ、開口部側が筐体内部に入り込む傾斜面となっている。
このため、シャッター本体が第１スライド位置にあって、各挿通孔を閉塞している状態で、各挿通孔から外部端子である栓刃を挿入すると、栓刃の先端がシャッター本体の傾斜面に当接される。
【００１６】
また、栓刃を更に挿入すると、その当接位置がずれてシャッター本体が開口部とは反対側に移動し、最終的には、各挿通孔がシャッター本体の開口部にて開放される。
そして、各挿通孔が開放されると、栓刃は筐体内に自由に挿入できるようになり、この結果、使用者は、栓刃（つまり外部端子）を、筐体内部の刃受け部に接続することができる。
【００１７】
この状態では、シャッター本体は、筐体の内壁面から突出された棒状突起により、第１スライド位置方向（つまり、各挿通孔を閉塞する方向）に付勢されている。
このため、この状態で、使用者が、外部端子である栓刃を挿通孔から引き出すと、棒状突起からの付勢力によりシャッター本体が第１スライド位置まで移動し、各挿通孔を閉塞することになる。
【００１８】
そして、本発明では、シャッター本体を第２スライド位置から第１スライド位置まで戻すための棒状突起が、筐体の内壁面から突出され、シャッター本体を支持する支持部も、筐体に一体形成されていることから、電気機器の筐体と別体で構成される構成部品は、シャッター本体だけである。
【００１９】
従って、本発明のシャッター構造によれば、上述した従来のシャッター構造のように、シャッター本体を挿通孔の閉塞位置に戻すために、筐体とは別体で構成される板ばねを利用する必要がなく、部品点数を少なくして、製造時の作業性を向上することができる。
【００２０】
また、本発明のシャッター構造では、シャッター本体は板状であり、挿通孔を開放又は閉塞する際には、シャッター本体を、筐体の内壁面に沿ってスライドさせるだけである（換言すれば、シャッター本体をその板面方向（一軸方向）に移動させるだけである）。
【００２１】
このため、本発明のシャッター構造を電子機器に適用する際には、電子機器の筐体内にシャッター本体を移動させるための移動空間を設ける必要がない。よって、本発明のシャッター構造は、電気機器の大型化を招くことなく実現することができる。
【００２２】
ここで、電気機器の筐体に、直交する壁面にて構成される角部が存在し、一対の挿通孔が、その角部において互いに直交する両壁面に渡って形成されている場合には、シャッター本体及び棒状突起を、請求項２に記載のように構成するとよい。
【００２３】
すなわち、請求項２に記載のシャッター構造においては、シャッター本体が、角部の両壁面に対応して板面がＬ字状に屈曲した板状部材にて構成され、開口部は、筐体の角部の両壁面に渉って形成された各挿通孔を閉塞・開放できるように、シャッター本体を構成する板状部材の両板面に渡って形成される。
【００２４】
また、傾斜面は、シャッター本体を構成する板状部材の一方の板面に形成され、棒状突起は、シャッター本体において傾斜面が形成された板面の端縁部分に当接するよう、筐体において当該板面と直交する壁面に突設される。
【００２５】
このため、挿通孔の開・閉時、シャッター本体は、筐体の角部で互いに直交する内壁面に沿って移動することになり、移動時にシャッター本体が位置ずれするのを抑制して、シャッター本体を移動しやすくすることができる。
【００２６】
また、外部端子である栓刃を筐体内部の刃受け部に接続する際、使用者は、栓刃を筐体の角部から各挿通孔に挿通することで、シャッター本体を第２スライド位置方向に移動させることが可能となり、栓刃を刃受け部への接続を容易に行うことができる。
【００２７】
一方、請求項３に記載の電源装置によれば、本発明のシャッター構造が適用されている。
このため、例えば、電源装置を伝送機器と一体化して使用する際、伝送機器側に電源供給用の栓刃を設けることで、その栓刃を電源装置の刃受け部に接続する作業と、電源装置を伝送機器と一体化する際の作業を同時に実施することができる。
【００２８】
また、電源装置が一体化された伝送機器から電源装置を取り出すと、電源装置の筐体壁面に形成された挿通孔がシャッター本体によって自動的に閉塞されるので、電源装置を単体で使用する際に、挿通孔から電源装置内部にゴミやほこりが侵入するのを防止できる。
【００２９】
そして、特に、本発明のシャッター構造によれば、その構成部品を少なくすることができ、しかも、シャッター本体を移動させるための移動空間を設ける必要がないため、電源装置の小型化及び低コスト化を図ることができる。
【図面の簡単な説明】
【００３０】
【図１】電源装置である電源部が一体化された伝送機器全体の構成を表す説明図である。
【図２】伝送機器内の増幅部と電源部との接続状態を表す斜視図である。
【図３】図２における増幅部と電源部との接続部分を拡大して表す斜視図である。
【図４】回路基板への刃受け部の装着状態を表し、（ａ）は回路基板を基板面上方から見た平面図、（ｂ）は回路基板を基板端縁から見た正面図である。
【図５】電源部のケース（筐体）へシャッター本体を取り付けた状態を表す斜視図である。
【図６】電源部におけるシャッター本体の取付部分を表し、（ａ）はその取付部分をケースの上方から見た平面図であり、（ｂ）はその取付部分を（ａ）に示す矢印方向から見た正面図である。
【図７】シャッター本体の構成を表す４面図であり、（ａ）は正面図、（ｂ）は左側面図、（ｃ）は平面図、（ｄ）は底面図である。
【図８】シャッター本体による挿通孔の閉塞状態（ａ）及び開放状態（ｂ）を表す説明図である。
【発明を実施するための形態】
【００３１】
以下に本発明の実施形態を図面と共に説明する。
図１に示す本実施形態の伝送機器２は、地上波、ＢＳ放送波、ＣＳ放送波等のテレビ放送電波を受信する複数の受信アンテナからの受信信号を増幅して出力する増幅器（所謂ブースター）である。
【００３２】
このため、本実施形態の伝送機器２は、各受信アンテナからの受信信号を増幅し、混合して出力する増幅部１０と、増幅部１０を駆動するための電源電圧を生成する電源部２０と、これら各部を一体的に収納する合成樹脂製の防水ケース４と、により構成されている。
【００３３】
増幅部１０は、防水ケース４から外部に突出された入力端子Ｔ１〜Ｔ３から上記複数の受信アンテナからの受信信号を取り込み、各受信信号を増幅及び混合し、端末側のテレビ受信器等への伝送信号として、出力端子Ｔ４から出力する。
【００３４】
入力端子Ｔ１〜Ｔ３は、上記各受信アンテナからの受信信号を、同軸ケーブルを介して入力するためのものであり、Ｆ型プラグを介して同軸ケーブルを接続可能なＦ型コネクタにて構成されている。
【００３５】
また、出力端子Ｔ４は、入力端子Ｔ１〜Ｔ３と同様、防水ケース４から外部に突出されて、端末側の同軸ケーブルに伝送信号を出力するためのものであり、Ｆ型プラグを介して同軸ケーブルを接続可能なＦ型コネクタにて構成されている。
【００３６】
増幅部１０は、これら各端子Ｔ１〜Ｔ４が突設された、矩形で金属製のシールドケース１２（図２参照）内に、フィルタ、増幅回路、混合回路、等を実装した回路基板（図示せず）を収納することにより構成されている。
【００３７】
そして、シールドケース１２の上面には、防水ケース４の蓋４ａ（図に点線で示す）を開けた状態で利得調整用の可変抵抗器等を操作したり、シールドケース１２内の熱を放出したりするための各種孔１２ａが形成されている。
【００３８】
また、増幅部１０のシールドケース１２には、各端子Ｔ１〜Ｔ４とは反対側の壁面から、防水ケース４内に向けて突出された、一対の栓刃１４、１５からなる電源端子１６が設けられている。
【００３９】
この電源端子１６は、一般的な電源プラグの栓刃と同様、板状の金属端子を、板面が対向するように間隔を開けて配置したものであり、電源部２０から電源電圧（例えば直流１５Ｖ）を取り込むのに利用される。
【００４０】
次に、電源部２０は、増幅部１０と一体型の電源装置としても、分離型の電源装置としても利用できるように、防水ケース４内に着脱可能に収納されている。
そして、電源部２０は、防水ケース４内に収納した際には、電源端子１６を介して増幅部１０に電源電圧を供給でき、防水ケース４から取り出した際には、増幅部１０の出力端子Ｔ４に接続される同軸ケーブルを介して、増幅部１０に電源電圧を供給できる。
【００４１】
このため、電源部２０のケース（筐体）２２には、増幅部１０の電源端子１６（詳しくは一対の栓刃１４、１５）を挿通するための一対の挿通孔２４、２５と、増幅部１０の出力端子Ｔ４に同軸ケーブルを介して接続するための入力端子Ｔｉｎと、増幅部１０出力端子Ｔ４から出力された伝送信号を端末側に出力するための出力端子Ｔｏｕｔとが設けられている。
【００４２】
なお、電源部２０のケース２２は合成樹脂製であり、入力端子Ｔｉｎ及び出力端子Ｔｏｕｔは、増幅部１０の入力端子Ｔ１〜Ｔ３及び出力端子Ｔ４と同様、Ｆ型プラグを介して同軸ケーブルを接続可能なＦ型コネクタにて構成されている。
【００４３】
そして、電源部２０のケース２２内には、電源コード２３を介して商用電源（例えば交
流１００Ｖ）を取り込み、増幅部１０駆動用の電源電圧（例えば直流１５Ｖ）を生成して、一対の刃受け部３４、３５及び入力端子Ｔｉｎに出力する電源回路を構成する回路基板２６が収納されている（図２、図３参照）。
【００４４】
また、電源部２０の回路基板２６には、入力端子Ｔｉｎに入力された高周波信号（つまり、増幅部１０の出力端子Ｔ４から出力された伝送信号）を、出力端子Ｔｏｕｔまで伝送して、出力端子Ｔｏｕｔから端末側に伝送信号を出力させるための信号経路も形成されている。
【００４５】
なお、図２において、電源部２０は、ケース２２から、上方の蓋体、電源コード２３、入力端子Ｔｉｎ及び出力端子Ｔｏｕｔを外し、内部が見える状態になっている。
そして、この図から、ケース２２の側壁には、入力端子Ｔｉｎ、出力端子Ｔｏｕｔ及び電源コード２３をそれぞれ装着するための装着孔２２ａ、２２ｂ、２２ｃが形成されていることがわかる。
【００４６】
次に、図４に示すように、刃受け部３４、３５は、栓刃１４、１５をそれぞれ挟持するための一対の挟持部３４ａ、３４ｂ及び３５ａ、３５ｂと、挟持部３４ａ、３４ｂ及び３５ａ、３５ｂを互いに対向するように連結する連結部３４ｃ、３５ｃと、により構成される。
【００４７】
この刃受け部３４、３５は、一枚の金属板をプレス等で曲げ加工することにより構成されており、回路基板２６の端縁に間隔を開けて固定されることにより、ケース２２に形成された挿通孔２４、２５に栓刃１４、１５が挿通された際に、各栓刃１４、１５をそれぞれ挟持して、電源端子１６を回路基板２６の電源回路に接続する。
【００４８】
また、回路基板２６において、刃受け部３４、３５が固定される端縁には、図２、図３に示すように、ケース２２の側壁との間でシャッター本体４０をその板面方向に移動可能に支持するための、凹部２６ａが形成されている。
【００４９】
シャッター本体４０は、ケース２２に設けられた挿通孔２４、２５を開閉するためのものであり、挿通孔２４、２５が形成されるケース２２の角部の内側に、その角部に沿って移動できるように配置される。
【００５０】
すなわち、図６、図８に示すように、挿通孔２４、２５は、互いに直交するケース２２の底から側壁にかけて形成されている。
そして、シャッター本体４０は、挿通孔２４、２５が形成されたケース２２の角部に沿って移動（スライド）することで、その挿通孔２４、２５を開閉できるように、ケース２２の角部の内壁面に対応して板面がＬ字状に屈曲した、合成樹脂製の板状部材にて構成されている（図５、図７参照）。
【００５１】
また、シャッター本体４０は、図８（ａ）に示す第１スライド位置では、その板面にて各挿通孔２４、２５を閉塞でき、図８（ｂ）に示す第２スライド位置では、各挿通孔２４、２５を開放できるように、板面に開口部４４、４２が形成されている。
【００５２】
なお、開口部４２は、挿通孔２５に対応した矩形の孔にて構成され、開口部４４は、シャッター本体４０の外周の一部を挿通孔２４に対応した矩形形状に切り欠くことにより構成されている。
【００５３】
また、図６、図８に示すように、ケース２２には、シャッター本体４０を第１スライド位置と第２スライド位置との間でスライド可能に支持する支持部として、ケース２２の底
面にケース２２の角部に平行な直線状の凸条５２が形成されると共に、ケース２２の側面には、凸条５２との間でシャッター本体４０を挟むための一対の突起５４が設けられている。
【００５４】
なお、凸条５２のケース２２の底面から離れた上端部分には、ケース２２の底面との間でシャッター本体４０を挟むための突起５２ａが形成されている（図６（ａ）参照）。
また、凸条５２の長手方向で第１スライド位置方向端部には、シャッター本体４０の開口部４４の端縁に当接されることで、シャッター本体を第１スライド位置に位置決めする凸条５３が、ケース２２の角部に向けて延設されている。
【００５５】
この凸条５３は、凸条５２を略直角に屈曲させた直線状のものであり、凸条５２の第１スライド位置方向端部から、ケース２２の角部を通って、ケース２２の側面に至る領域に設けられている。
【００５６】
また、ケース２２には、凸条５２、５３及び突起５４からなるケース２２の支持部にシャッター本体４０を装着した際、シャッター本体４０の開口部４２の内周端縁に当接されることで、シャッター本体４０を第１スライド位置若しくは第２スライド位置に位置決めする凸条５６も設けられている。
【００５７】
また、ケース２２の側壁の底面近傍には、先端が、ケース２２の支持部に装着されたシャッター本体４０の第２スライド位置方向端部側（換言すれば凸条５３とは反対側）で、ケース２２の底面に平行なシャッター本体４０の端縁部分に当接される、棒状突起６０が突設されている。
【００５８】
この棒状突起６０は、シャッター本体４０が第１スライド位置から第２スライド位置へ移動するのに伴い湾曲することにより、シャッター本体４０を第１スライド位置方向に付勢するためのものである。
【００５９】
なお、この棒状突起６０や凸条５６、シャッター本体４０の支持部を構成する凸条５２、５３及び突起５４は、合成樹脂にてケース２２を作製（射出成形）する際に、ケース２２に一体的に形成される。
【００６０】
また次に、シャッター本体４０が第１スライド位置にあって、ケース２２の挿通孔２４、２５を閉塞しているときに、ケース２２の底面外側から挿通孔２４、２５を通して見えるシャッター本体４０の板面部分４８、４６は、図７に示すように、隣接する開口部４４、４２側がケース２２内部に入り込むよう、傾斜面となっている。
【００６１】
この傾斜面は、シャッター本体４０が第１スライド位置にあるとき、ケース２２の外から挿通孔２４、２５の底面側に、増幅部１０の電源端子１６である栓刃１４、１５を挿入した際、その挿入に伴い栓刃１４、１５の傾斜面への当接位置が変化して、シャッター本体４０が第２スライド位置方向に移動するようにするためのものである。
【００６２】
そして、シャッター本体４０が、第１スライド位置から第２スライド位置、若しくは、これとは逆方向に移動しやすいように、ケース２２において凸条５２、５３、５６にて囲まれたシャッター本体４０の装着部分には、シャッター本体４０の底面に当接されてスライド方向に案内する直線状の段部５８が形成されている（図６（ａ）参照）。
【００６３】
以上説明したように、本実施形態の伝送機器２には、電源装置として、増幅部１０と共に防水ケース４内に収納しても使用でき、防水ケース４から取り外して単体でも使用できる電源部２０が備えられている。
【００６４】
そして、電源部２０のケース２２には、増幅部１０に電源供給を行うための一対の栓刃１４、１５を挿入するための挿通孔２４、２５が設けられ、電源部２０のケース内には、挿通孔２４、２５を介して挿入された栓刃１４、１５に接続される刃受け部３４、３５（詳しくは、刃受け部３４、３５が実装された回路基板２６）が設けられている。
【００６５】
また、電源部２０のケース２２には、挿通孔２４、２５に栓刃１４、１５が挿入されたときに、挿通孔２４、２５を開放し、栓刃１４、１５が抜かれると、挿通孔２４、２５を閉塞するためのシャッター構造が設けられている。
【００６６】
このシャッター構造は、回路基板２６の刃受け部３４、３５が配置されるケース２２の角部近傍に、凸条５２、５３及び突起５４からなる支持部を介して、角部に沿ってスライド可能に設けられたシャッター本体４０を備える。
【００６７】
そして、シャッター本体４０は、ケース２２に形成された凸条５３、５６にて、第１スライド位置若しくは第２スライド位置に位置決めされ、第１スライド位置では、挿通孔２４、２５を閉塞し、第２スライド位置では、挿通孔２４、２５を開放する。
【００６８】
また、シャッター本体４０は、ケース２２の側面から突出された棒状突起６０によって、第１スライド位置方向に付勢されているため、挿通孔２４、２５に栓刃１４、１５が挿入されていないときには、シャッター本体４０は、第１スライド位置に位置決めされて、挿通孔２４、２５を閉塞する。
【００６９】
また、シャッター本体４０が第１スライド位置にあって、ケース２２の挿通孔２４、２５を閉塞しているときに、ケース２２の底面外側から挿通孔２４、２５を通して見えるシャッター本体４０の板面部分４８、４６は、傾斜面となっているため、ケース２２の外から挿通孔２４、２５の底面側に栓刃１４、１５を挿入すれば、シャッター本体４０が第２スライド位置方向に移動する。
【００７０】
この結果、挿通孔２４、２５が開放されて、栓刃１４、１５を刃受け部３４、３５に接続できるようになる。
よって、本実施形態のシャッター構造によれば、電源部２０のケース２２の挿通孔２４、２５に電源端子１６を構成する栓刃１４、１５を挿入し、引き抜くことで、挿通孔２４、２５を自動で開閉できることになる。
【００７１】
そして、本実施形態では、シャッター本体４０を第２スライド位置から第１スライド位置まで戻すための棒状突起６０が、ケース２２の内壁面から突出され、シャッター本体４０を支持する支持部も、ケース２２に一体形成されていることから、電源部２０のケース２２と別体で構成されるシャッター構造の構成部品は、シャッター本体４０だけである。
【００７２】
従って、本実施形態のシャッター構造によれば、上述した従来装置のように、シャッター本体４０を第２スライド位置から第１スライド位置に移動させるために、ケース２２とは別体で構成される板ばねを利用する必要がなく、部品点数を少なくして、製造時の作業性を向上することができる。
【００７３】
また、シャッター本体４０は、Ｌ字状に屈曲した合成樹脂製の板状部材にて構成されており、挿通孔２４、２５を開放又は閉塞する際には、シャッター本体４０を、ケース２２の角部の内壁面に沿ってスライドさせるだけであることから、ケース２２内にシャッター本体４０を移動させるための移動空間を設ける必要がない。
【００７４】
よって、本実施形態のシャッター構造は、電源部２０の大型化を招くことなく実現することができる。
以上、本発明の一実施形態について説明したが、本発明は上記実施形態に限定されるものではなく、本発明の要旨を逸脱しない範囲内にて種々の態様をとることができる。
【００７５】
例えば、上記実施形態では、本発明のシャッター構造を、テレビ放送信号の伝送機器である増幅装置（増幅部１０）に電源供給を行う電源装置（電源部２０）に適用した場合について説明した。
【００７６】
しかし、本発明のシャッター構造は、各種電気機器に電源供給を行う電源装置であっても、或いは、外部電源から電源供給を受けて動作する電気機器であっても、上記実施形態と同様に適用して、同様の効果を得ることができる。
【符号の説明】
【００７７】
２…伝送機器、４…防水ケース、１０…増幅部、１２…シールドケース、１４，１５…栓刃、１６…電源端子、２０…電源部、２２…ケース、２３…電源コード、２４，２５…挿通孔、２６…回路基板、３４…刃受け部、４０…シャッター本体、４２，４４…開口部、５２，５３，５６…凸条、５２ａ，５４…突起、５８…段部、６０…棒状突起。
【図１】
2016071942.tif 000003
【図２】
2016071942.tif 000004
【図３】
2016071942.tif 000005
【図４】
2016071942.tif 000006
【図５】
2016071942.tif 000007
【図６】
2016071942.tif 000008
【図７】
2016071942.tif 000009
【図８】
2016071942.tif 000010